(57)【要約】【課題】内蓋保持具に設けた内蓋との係合のための凸部あるいは凹部、また摺動部の溝等にご飯粒等の異物が付着しやすく、その場合内蓋が装着不能となり炊飯できなくなる。また内蓋を取り外し、鍋を装着した状態で強引に閉蓋をしようとすると内蓋を蓋に係合するための内蓋保持具が破損、変形が懸念され、内蓋が装着不能となる。【解決手段】本体と、着脱自在に収納され外周にフランジ部を有する鍋と、ヒンジ部に軸支され、前記本体の上面を覆う蓋と、鍋パッキンを具備し、前記蓋の下面に着脱自在に装着されてなる内蓋を有し、前記本体はヒンジバネとフックボタンを有し、前記蓋は前記フックボタンと係合して閉蓋状態を保つ蓋フック係合部と蓋蒸気口と複数の内蓋係止部を有し、前記内蓋は複数の蓋係合部と内蓋蒸気口を有する炊飯器において、スライド板を設ける。【選択図】図１
2006246914.tif 000002
【特許請求の範囲】
【請求項１】
本体と、前記本体に着脱自在に収納され外周にフランジ部を有する鍋と、本体後方のヒンジ部に軸支されるとともに開閉自在に前記本体の上面を覆う蓋と、前記蓋の下面に着脱自在に装着される内蓋とを有し、前記本体は、前記ヒンジ部に設けられるとともに前記蓋を開蓋方向に付勢するヒンジバネと、前記ヒンジ部と対向する部分に設けられたフックボタンとを有し、前記蓋は、前記フックボタンと係合して閉蓋状態を保つ蓋フック係合部と、前記内蓋を係止する複数の内蓋係止部と、前記内蓋に設けられるとともに前記内蓋係止部と係合する複数の蓋係合部とを有し、前記蓋の下面に設けられ、前記内蓋を取り外したときは前記鍋のフランジ部と当接するとともに前記内蓋の装着時は前記鍋フランジから離れるスライド板を備えた炊飯器。
【請求項２】
スライド板を本体斜め前方に設けた請求項１記載の炊飯器。
【請求項３】
内蓋装着時にスライド板を覆い収納するスライド板カバーを備えた請求項１記載の炊飯器。
【請求項４】
内蓋を装着する動作時にスライド板は前記スライド板に設けた傾斜面で内蓋と当接し、鍋フランジと当接するときは前記スライド板に設けた前記鍋フランジと略平行な当接面で当接する請求項１記載の炊飯器。
【請求項５】
内蓋の複数の蓋係合部のうち、少なくとも２ヶ所は蓋後部両横に係合する後部両横係合部を有し、少なくとも１つは蓋前部に係合する前部係合部を有し、前記後部両横係合部は着脱用のつまみ部と前記つまみ部を付勢する弾性部材を有し、前記前部係合部は内蓋先端部より下方に延設されたつば部で構成され、前記つば部の先端は内蓋装着時、前記蓋先端に設けた断面がＬ字状の前部内蓋係止部に係合する請求項１記載の炊飯器。
【請求項６】
内蓋の複数の蓋係合部のうち、少なくとも１ヶ所が蓋と係合が外れた状態で閉蓋をした時、前記蓋係合部が本体もしくは鍋と当接することにより、閉蓋後に前記蓋係合部のすべてが係合される請求項５記載の炊飯器。
【発明の詳細な説明】
【技術分野】
【０００１】
本発明は、炊飯器の蓋の開閉機構に関するものである。
【背景技術】
【０００２】
従来、この種の炊飯器の蓋の構成は次に示すようなものであった。特許文献１によれば、放熱板３８には外蓋カバー３２ｂと着脱する係合部３８ｂおよび係合爪部３８ｃが設けられている。蓋３２には放熱板３８が取り付けられており、蓋３２は放熱板３８の係合部３８ｂを介して本体２８の係合部３５を係合することで閉蓋されている。蓋３２と本体２８との係合手段、即ちフックボタン３４の係合を解除すると、本体２８後方に設けられているヒンジバネの力により蓋３２は開蓋を開始し、ヒンジ軸を中心に回動するものである（図８、９）。
【０００３】
また、特許文献２は、蓋体の下蓋の前端部に、本体ケースに設けたラッチが係止する係止部を設けると共に、下蓋と該下蓋の開口部上に固定された支持板との間に摺動可能に保持され内蓋の着脱により前後方向に移動する内蓋保持具を設け、内蓋を下蓋に装着したときは内蓋保持具が前進して蓋体を閉じると下蓋に設けた係止部にラッチが係止し、内蓋を取り外したときは内蓋保持具が後退して蓋体を閉じると該内蓋保持具が内鍋に当接して係止部にラッチが係止できないように構成した炊飯器が開示されている。
【０００４】
いずれも、内蓋を取り外した状態で誤って炊飯することを防止するものである。
【特許文献１】特開平１１−０５６６１９号公報
【特許文献２】特許第３４１６８７１号公報
【発明の開示】
【発明が解決しようとする課題】
【０００５】
しかしながら、このような従来の構成において、特許文献１の炊飯器では内蓋の未装着時に蓋は開放状態となり、鍋収納部へのホコリや異物が侵入しやすく不衛生である。また特許文献２の炊飯器では内蓋未装着時でも鍋を取出した状態であれば閉蓋が可能であるが、内蓋保持具には、下蓋と内蓋との係合のために凸部あるいは凹部が設けられており、この凸部あるいは凹部、また摺動部の溝等にご飯粒等の異物が付着しやすく、その場合内蓋が装着不能となり炊飯できなくなる。また内蓋を取り外し、鍋を装着した状態で強引に閉蓋をしようとすると内蓋を蓋に係合するための内蓋保持具が破損、変形が懸念され、その場合もまた内蓋が装着不能となるので炊飯できなくなるという課題を有していた。
【課題を解決するための手段】
【０００６】
前記従来の課題を解決するために、本発明は、蓋の下面に設けられ、内蓋を取り外したときは前記鍋のフランジ部と当接し、内蓋の装着時は鍋フランジから離れて、外周部に位置するスライド板を備えたものである。
【０００７】
これにより、内蓋を付け忘れて炊飯しようとした場合、内蓋を取り外した状態で鍋が装着された状態となり、スライド板が鍋と当接して閉蓋が不可能となるので、誤って炊飯することを防止できる。また炊飯終了後に内蓋と鍋を洗うが、その場合は内蓋と鍋の両方が取り外してあるので、閉蓋が可能となり鍋収納部へのホコリや異物の侵入はない。ここで、このとき鍋は取出してあるので誤って炊飯できないのはいうまでもない。そして、内蓋を取り付けた状態ではスライド板が可動し、スライド板は鍋と当接しないので、通常通り閉蓋が可能となる。鍋は炊飯終了後毎に必ず取り外すが、内蓋は場合によっては装着したままの状態となることもよくあり、この場合、閉蓋が可能となるので鍋収納部へのホコリや異物の侵入はない。さらには、スライド板は内蓋と蓋との係合には関与しない構成となっているため、スライド板には内蓋を係合するための凹部が不要となり、米粒などの異物がスライド板に付着し内蓋が装着不能となるようなことはない。また、スライド板が変形や破損したとしても、内蓋は蓋に取付け可能であり、炊飯ができなくなるようなことはない。
【発明の効果】
【０００８】
本発明の炊飯器は、内蓋を付け忘れて誤って炊飯することをなくし、また鍋収納部へのホコリや異物の侵入を防止できる。さらに、米粒などの異物が付着しても内蓋が装着不能となるようなことをなくして炊飯できるという効果を奏するものである。
【発明を実施するための最良の形態】
【０００９】
第１の発明は、本体と、前記本体に着脱自在に収納され外周にフランジ部を有する鍋と、本体後方のヒンジ部に軸支されるとともに開閉自在に前記本体の上面を覆う蓋と、前記蓋の下面に着脱自在に装着される内蓋とを有し、前記本体は、前記ヒンジ部に設けられるとともに前記蓋を開蓋方向に付勢するヒンジバネと、前記ヒンジ部と対向する部分に設けられたフックボタンとを有し、前記蓋は、前記フックボタンと係合して閉蓋状態を保つ蓋フック係合部と、前記内蓋を係止する複数の内蓋係止部と、前記内蓋に設けられるとともに前記内蓋係止部と係合する複数の蓋係合部とを有し、前記蓋の下面に設けられ、前記内蓋を取り外したときは前記鍋のフランジ部と当接するとともに前記内蓋の装着時は前記鍋フランジから離れるスライド板を備えた炊飯器である。
【００１０】
これにより、内蓋を付け忘れて炊飯しようとした場合、内蓋を取り外した状態で鍋が装着された状態となり、スライド板が鍋と当接して閉蓋が不可能となるので、誤って炊飯することを防止できる。また炊飯終了後に内蓋と鍋を洗うが、その場合は内蓋と鍋の両方が取り外してあるので、閉蓋が可能となり鍋収納部へのホコリや異物の侵入はない。ここで、このとき鍋は取出してあるので誤って炊飯できないのはいうまでもない。そして、内蓋を取り付けた状態ではスライド板が可動し、スライド板は鍋と当接しないので、通常通り閉蓋が可能となる。鍋は炊飯終了後毎に必ず取り外すが、内蓋は場合によっては装着したままの状態となることもよくあり、この場合、閉蓋が可能となるので鍋収納部へのホコリや異物の侵入はない。さらには上記効果を内蓋と蓋の係合部以外の部分で構成することで、スライド板には内蓋を係合するための凹部が不要となり、米粒などの異物がスライド板に付着し内蓋が装着不能となるようなことはない。また、スライド板が変形や破損したとしても、内蓋は蓋に取付け可能であり、炊飯ができなくなるようなことはなくなる。
【００１１】
第２の発明は、特に第１の発明において、スライド板を本体斜め前方に設けた炊飯器とすることで、丸い鍋に対して、スライド板は本体前コーナー部の領域に配置することで、スライド板の可動部分に必要な面積のために本体長が長くなることはなく、本体設置面積を大きくすることなくスライド板を設けることができる。またフックの近傍であるので蓋が変形等を起こしても、内蓋を取り付けない状態では確実にスライド板が鍋のフランジ部と当接し、誤って内蓋なしの状態で閉蓋状態となったりしない。
【００１２】
第３の発明は、特に第１の発明において、スライド板はスライド板カバーに覆われ、内蓋装着時にスライド板カバー内に収納される構成とした炊飯器で、内蓋装着時に可動部はスライドカバーで隠れるので、異物などがスライド板の可動部に付着しにくく、また内蓋を取り付けた状態でスライド板が目立たなくなり、スッキリとした外観になる。さらには蓋の下面にスライド板取付用の穴が不要となり、蓋内への水や異物の侵入をなくすることができる。
【００１３】
第４の発明は、特に第１の発明において、内蓋を装着する動作時にスライド板は前記スライド板に設けた傾斜面で内蓋と当接し、鍋フランジと当接するときは前記スライド板に設けた前記鍋フランジと略平行な当接面で当接する形状とした炊飯器で、内蓋装着時のスライド板と内蓋の当接面を傾斜面とすることで内蓋を本体のフックボタン側とヒンジ部側からのいずれの方向から装着した時でもスライド板は可動するので、内蓋の誤装着や無理に装着して変形や破損するといったことがないうえに、鍋フランジとは略平行な面で当接させることで、スライド板の強度が向上し、スライド板の変形や破損を防止できる。また内蓋もフックボタン側とヒンジ部側のいずれからでも装着可能であり、内蓋が装着しやすい。
【００１４】
第５の発明は、特に第１の発明において、内蓋の複数の蓋係合部のうち、少なくとも２ヶ所は蓋後部両横に係合する後部両横係合部を有し、少なくとも１つは蓋前部に係合する前部係合部を有し、前記後部両横係合部は着脱用のつまみ部と前記つまみ部を付勢する弾性部材を有し、前記前部係合部は内蓋先端部より下方に延設されたつば部で構成され、前記つば部の先端は内蓋装着時、前記蓋先端に設けた断面がＬ字状の前部内蓋係止部に係合する炊飯器で、内蓋をフックボタン側から装着する時は、前部係合部を内蓋係止部に挿入し、後部両横係合部を押し込むと装着でき、内蓋をヒンジ側から装着する時は、後部両横係合部を蓋に係合させた後に前部係合部を押し込むと、前部係合部のつば部が内方へたわみ、蓋先端に設けたＬ字状の内蓋係止部に係合されるので、内蓋はフック側、ヒンジ側のいずれ側からでも装着可能となり、内蓋を装着しやすくなる。
【００１５】
第６の発明は、特に第５の発明において、内蓋の複数の蓋係合部のうち、少なくとも１ヶ所が蓋と係合が外れた状態で閉蓋をした時、前記蓋係合部が本体もしくは鍋と当接することにより、閉蓋後に前記蓋係合部のすべてが係合された状態となる炊飯器で、蓋係合部のうち少なくとも１ヶ所が外れていても、閉蓋の動作時に外れている蓋係合部は本体もしくは鍋により蓋の方へ係合部が係合するまで押し込まれ、内蓋は閉蓋時は正常な位置に装着されるので、内蓋の誤装着による蒸気漏れや蓋や内蓋の変形をなくすことができる。
【００１６】
（実施の形態１）
本発明の実施の形態について、図１から図６を用いて説明する。図１において、炊飯器本体１は有底筒状の鍋収納部１ａを有し、着脱自在に鍋２を収納する。鍋収納部１ａの底部には底誘導コイル３が鍋加熱手段となり、鍋２を誘導加熱し炊飯・保温を行う。４は底センサーで、鍋２の温度を検知し、制御手段である制御部５へ信号を送る。制御部５はマイコン（図示せず）が設けられており、底センサー４の信号より底誘導コイル３の通電量を変化させ、鍋２への加熱量を可変することで鍋２の温度を炊飯・保温時に適温に制御する。
【００１７】
本体上部は本体後部のヒンジ部６に設けたヒンジ軸７にて軸支された、開閉自在な蓋８で覆われている。蓋８の先端には蓋フック係合部１４が設けられており、本体前方のフックボタン１６と閉蓋時に係合し、炊飯または保温中に蓋が開くのを防止する。フックボタン１６を押すと、蓋フック係合部１４とフックボタン１６の係合が外れ、蓋体のヒンジ部６に設けられたヒンジバネ１７の力によって蓋が開く。
【００１８】
炊飯中や保温中にご飯から発生した蒸気は蓋８の鍋側に付着し、蓋８を開いたときに露が本体上縁部１ｂに滴下したり、保温中にご飯の上に落下して、ご飯を白化させたりする。そこで、蓋８には鍋２の内部空間を加熱する内蓋９が設けられており、内蓋９は蓋加熱手段である蓋誘導コイル１０により誘導加熱され発熱し、炊飯・保温中にご飯の上に露が滴下するのを防止する。
【００１９】
内蓋９には内蓋蒸気口９ａが設けられており、炊飯・保温中に発生する蒸気は、内蓋蒸気口９ａを通過し、蓋蒸気口８ａから外部へ流出する。１８は蒸気口パッキンで、内蓋蒸気口９ａからの蒸気が蓋８の内部に流入するのを防止している。また１９は内蓋９に一体に設けられた鍋パッキンで、内蓋９と鍋２のフランジ部２ａの間から蒸気が外部へ漏れ出すのを防止している。
【００２０】
図２に示すように、蓋８の本体斜め前方には、スライド板１５が設けられており、スライド板１５はスライド板カバー２０にてその外観部を覆うように取り付けられている。図３に示すように、スライド板１５は内蓋９の装着動作時に内蓋９と当接する傾斜面１５ａと内蓋９を取り外した状態で蓋８を閉蓋した時に鍋２のフランジ部２ａと当接する当接面１５ｂを有している。そして、図３（ａ）に示すようにスライド板１５はスライド板バネ２１により、スライド板カバー２０より凸となる（蓋の中心方向へ突き出る）ような付勢力を与えられており、かつ図３（ｂ）のように蓋８の下面を可動する構成となっている。
【００２１】
そして、図２および図５（ａ）、図５（ｂ）に示すように蓋８は内蓋９の装着のために、先端部近傍には断面がＬ字状の前部内蓋係止部８ｂを有しており、後部両横には後部両横内蓋係止部８ｃを有している。それと対向する形で、図４に示すように、内蓋９には内蓋先端部より下方に延設され、先端外周部に傾斜面９ｇを設けたつば部で構成され、若干の弾性を有して、内蓋９の内方にたわむことができ、前部内蓋係止部８ｂと係合する前部蓋係合部９ｂが設けてある。前部蓋係合部９ｂは、蓋８と係合時は図５（ａ）に示すように、蓋８のＬ字状の断面の上につば部先端９ｄが載置されるようになっている。内蓋９の後部両横には後部両横内蓋係止部８ｃに係合する後部両横係合部９ｃが設けてある。後部両横係合部９ｃは着脱用のつまみ部９ｅとつまみ部９ｅを蓋８へ付勢するねじりコイルバネなどでできた係合用の弾性部材９ｆを有し、図５（ｂ）および図５（ｃ）に示すようにつまみ部９ｅは可動し、後部両横内蓋係止部８ｃに係合して内蓋９を蓋８に着脱自在に装着可能にする。
【００２２】
次に、この炊飯器の動作について説明する。
【００２３】
まず、内蓋９を蓋８に装着する。そして、炊飯を行う米とその水量に対応する水を鍋２に入れ、鍋収納部１ａに鍋２を装備し、蓋８を閉じる。続いて、炊飯ボタン（図示せず）を押すと炊飯動作開始の信号が制御部５のマイコン（図示せず）へと送られ、炊飯動作を開始する。マイコンは、あらかじめプログラムされた炊飯動作を実行し、底センサー４から送られる鍋２の温度を入力として、底誘導コイル３と蓋誘導コイル１０を最適に通電制御し炊飯を行う。
【００２４】
底誘導コイル３に通電すると、底誘導コイル３は鍋２を誘導加熱する。誘導加熱方式は熱効率が良く、熱応答性もよいのでおいしくご飯を炊くことができる。
【００２５】
蓋誘導コイル１０に通電すると蓋誘導コイル１０は金属製の内蓋９を誘導加熱し鍋２を上面から暖める。また炊飯で発生した蒸気が露となって内蓋９へ付着するのを防止する。
【００２６】
炊飯中に鍋２から発生する蒸気は、内蓋９の内蓋蒸気口９ａを通過し、蓋蒸気口８ａを通過して外部へと放出される。ここで、内蓋９と鍋２のフランジ部２ａは鍋パッキン１９でシールされており、また内蓋９と蓋蒸気口８ａの間は蒸気口パッキン１８でシールされているので、所定の場所以外から蒸気が外部に漏れることのない構造となっている。そして、マイコンにあらかじめプログラムされた炊飯動作を実行し、炊飯を完了する。
【００２７】
ここで、内蓋９を蓋８に装着する時、内蓋９の凸部９ｈがスライド板１５の傾斜面１５ａと当接しながらスライド板１５をスライド板カバー２０の奥へと押し込み、内蓋９を蓋８に装着後のスライド板１５は図６（ａ）のような状態となる。ここで、もし内蓋９を装着し忘れたなら、スライド板１５は図６（ｂ）のように内方へ凸の（突き出た）状態となったままであり、この状態で蓋８を閉じると鍋２のフランジ部２ａはスライド板１５に対して図７の二点鎖線で示すような位置関係となり、スライド板１５の当接面１５ｂがフランジ部２ａに当接し、閉蓋ができなくなる。これにより、内蓋９を付け忘れて炊飯しようとした場合、閉蓋が不可能となるので、誤って炊飯することを防止できる。
【００２８】
さらには炊飯終了後に内蓋９と鍋２を洗うが、その場合は当然のことながら、鍋２がないので、スライド板１５の当接面１５ｂが閉蓋時に鍋２のフランジ部２ａと当接することはなく、閉蓋が可能となるので鍋収納部へのホコリや異物の侵入はない。ここで、このとき鍋２は取出してあるので誤って炊飯できないのはいうまでもない。また、鍋２は炊飯終了後毎に必ず取り外すが、内蓋９は場合によっては装着したままの状態となることもよくある。この場合、閉蓋が可能となるので鍋収納部１ａへのホコリや異物の侵入はない。
【００２９】
加えて内蓋９の蓋８の係合部となる蓋係合部は前部蓋係合部９ｂおよび後部両横係合部９ｃにて設け、スライド板１５以外の部分で構成することで、スライド板には内蓋を係合するための凹部が不要となり、米粒などの異物がスライド板１５に付着しにくく、異物付着により内蓋９が装着不能となるようなことはない。そして、万が一スライド板１５が変形や破損したとしても、内蓋９の蓋８の係合部となる蓋係合部はスライド板１５以外の部分で構成してるので、内蓋９は蓋８に取付け可能であり、炊飯ができなくなるようなことはない。
【００３０】
スライド板１５の内蓋９の装着忘れによる炊飯の防止のためには、スライド板１５はなるべくフックボタン１６の近傍に設けた方がフックボタン１６とヒンジ軸７までの距離とスライド板１５とヒンジ軸７の距離がほぼ同じとなり、ヒンジ軸７を中心に回動する蓋８にとって、経年使用による蓋８の変形などが発生しても、内蓋９の装着を忘れた場合に確実にスライド板１５が鍋２のフランジ部２ａに当接するので、蓋８を閉じてしまうことがないので適切である。しかしフックボタン１６にスライド板１５を設けた場合、スライド板１５の可動部分を構成するために、本体先端部の寸法が大きくなってしまい、本体長が長くなる。このことは炊飯器の設置面積が大きくなってしまう課題があるが、本実施の形態のように本体斜め前方であれば、ヒンジ軸７からフックボタン１６までの距離とヒンジ軸７からスライド板１５までの距離がほぼ同程度に保つことができるので、経年使用により蓋８が変形しても、スライド板１５をフックボタン１６に設けた場合と同様の内蓋９の装着を忘れた場合に蓋８を閉じてしまうことがない効果を得ることができるだけでなく、本体長も長くならなくて済むので、本体設置面積を大きくすることなくスライド板を設けることができる。ここで、フックボタン１６の近傍とはスライド板１５の配置が内蓋９の中心よりもフックボタン１６寄りであればよい。
【００３１】
図６（ａ）のように、本実施の形態では内蓋９を装着すると、スライド板１５はスライド板カバー２０にその大半を覆われるようになっている。このことは、内蓋８は米粒などの異物の付着し易い部品であるが、スライド板１５は内蓋装着時にスライド板カバー２０で覆われるので、異物などがスライド板１５に付着しにくく、スライド板１５の異物付着による動作不良を起こしにくい。また内蓋８を取り付けた状態ではスライド板１５が目立たなくなり、スッキリとした外観になる。さらには図３（ａ）のようにスライド板カバー２０と蓋８の間の空間でスライド板１５は動作するので、蓋８にはスライド板取付用の穴が不要となり、蓋８への水や異物の侵入をなくすることができる。
【００３２】
本実施の形態の構成によれば、内蓋はフックボタン１６側とヒンジ部６側のいずれからでも装着可能である。具体的な動作としては、フックボタン１６側から装着する場合、内蓋８の前部蓋係合部９ｂを蓋８の前部内蓋係止部８ｂへ挿入したのち、後部両横係合部９ｃを後部両横内蓋係止部８ｃへ押し込むとつまみ部９ｅが図５（ｃ）のように傾斜し、最終的に図５（ｂ）の状態となり、内蓋９は装着される。ヒンジ部６側から装着する場合、内蓋９の後部両横係合部９ｃを後部両横内蓋係止部８ｃへ係合させた後、内蓋９の前部蓋係合部９ｂを蓋８の前部内蓋係止部８ｂへ押し込むと、前部蓋係合部９ｂは内蓋９の内方へたわみ、図５（ａ）のように蓋８のＬ字状の断面の上につば部先端９ｄが載置され、内蓋９が装着される。このことは内蓋９をフックボタン側、ヒンジ部側のいずれからでも装着でき、内蓋の装着しやすい。
【００３３】
そして、内蓋装着時のスライド板１５と内蓋９の当接面は傾斜面１５ａで当接しているので、内蓋９を炊飯器本体１のフックボタン１６側とヒンジ部６側からのいずれの方向から装着した時でもスライド板１５は可動し、内蓋９の誤装着や無理に装着して変形や破損するといったことがないうえに、鍋２のフランジ部２ａとは略平行な面である当接面１５ｂで当接させることで、スライド板１５の強度が向上し、スライド板１５の変形や破損を防止できる。また内蓋９もフックボタン１６側とヒンジ部６側のいずれからでも装着可能であり、内蓋９が装着しやすい。
【００３４】
内蓋９の前部蓋係合部９ｂおよび後部両横蓋係合部９ｃは閉蓋時に本体上縁部１ｂと若干の隙間を設けた位置にその下端が位置している。そして、複数の蓋係合部のうち、いずれか一ヶ所の係合が外れた場合、外れた係合部の下端は、閉蓋時に本体上縁部１ｂと当接する位置となっている。この状態で閉蓋の動作を行うと、後部両横蓋係合部９ｃが外れていた場合は、本体上縁部１ｂが後部両横蓋係合部９ｃの下端を後部両横内蓋係止部８ｃへと押し込み、閉蓋状態において後部両横蓋係合部９ｃは図５（ｂ）の状態となる。また前部蓋係合部９ｂが外れていた場合には本体上縁部１ｂが前部蓋係合部９ｂの下端を前部内蓋係止部８ｂへと押し込み、また前部蓋係合部９ｂに設けた傾斜面９ｇが誘いとなって、閉蓋時に図５（ａ）の状態となる。すなわち、内蓋９の装着が不完全な状態であったとしても、閉蓋の動作により内蓋９は正規の状態に装着されるので、鍋パッキン１９や蒸気口パッキン１８からの蒸気漏れは発生せず、また蓋や内蓋の変形の恐れもない。
【産業上の利用可能性】
【００３５】
以上のように、本発明にかかる炊飯器は、内蓋を付け忘れて誤って炊飯することをなくし、また鍋収納部へのホコリや異物の侵入を防止できる。そして、米粒などの異物がスライド板に付着し内蓋が装着不能となるようなことをなくし、スライド板が変形や破損したとしても、炊飯ができなくなるようなことはないので、民生用のみならず、業務用の炊飯器にも適用できる。
【図面の簡単な説明】
【００３６】
【図１】本発明の実施の形態１の炊飯器の断面図
【図２】同炊飯器の蓋下面の矢視図
【図３】（ａ）同炊飯器のスライド板部の内蓋未装着時の断面図（ｂ）同炊飯器のスライド板部の内蓋装着時の断面図
【図４】同炊飯器の内蓋の斜視図
【図５】（ａ）同炊飯器の蓋と内蓋の係合部の断面図（ｂ）同炊飯器の蓋と内蓋の係合部の断面図（ｃ）同炊飯器の蓋と内蓋の係合部の断面図
【図６】（ａ）同炊飯器のスライド板の動作状態の斜視図（ｂ）同炊飯器のスライド板の動作状態の斜視図
【図７】同炊飯器のスライド板部の断面図
【図８】（ａ）従来の炊飯器の要部斜視図（ｂ）従来の炊飯器の要部斜視図
【図９】従来の炊飯器の要部断面図
【符号の説明】
【００３７】
１  炊飯器本体
２  鍋
２ａ  フランジ部
６  ヒンジ部
８  蓋
８ｂ  前部内蓋係止部
８ｃ  後部両横内蓋係止部
９  内蓋
９ｂ  前部蓋係合部（つば部）
９ｃ  後部両横蓋係合部
１４  蓋フック係合部
１５  スライド板
１５ａ  傾斜面
１５ｂ  当接面（略平行な面）
１６  フックボタン
１７  ヒンジバネ
２０  スライド板カバー
【図１】
2006246914.tif 000003
【図２】
2006246914.tif 000004
【図３】
2006246914.tif 000005
【図４】
2006246914.tif 000006
【図５】
2006246914.tif 000007
【図６】
2006246914.tif 000008
【図７】
2006246914.tif 000009
【図８】
2006246914.tif 000010
【図９】
2006246914.tif 000011